(57)【特許請求の範囲】
【請求項１】
物体側より順に、開口絞り、第１レンズ、第２レンズ、第３レンズ、第４レンズからなり、
前記第１レンズは両凸レンズ、前記第２レンズは像側に凹面を持つ負レンズ、前記第３レンズは像側に凸面を有する正レンズ、前記第４レンズは物体側に凹面を有する負レンズであり、
以下の条件式を満足することを特徴とする撮像光学系。
-0.9＜(r2+r3)/(r2-r3)＜-0.08                           …(A)
0.01＜1/ν2-1/ν1＜0.03                                …(2)
-2＜f/r6＜0.01                                         …(4)
0.08＜d7/f＜0.4                                        …(9)
0≦f/r9＜1                                             …(6)
-0.05＜f/r4＜2 …(3)"
但し、fは全系の焦点距離、ν1、ν2はそれぞれ前記第１レンズ、前記第２レンズのアッベ数、ｒ2、ｒ3はそれぞれ前記第１レンズの物体側と像側の曲率半径、r6は前記第３レンズの物体側の曲率半径、r9は前記第４レンズの像側の曲率半径、d7は前記第３レンズと前記第４レンズの光軸上の空気間隔、r4は前記第２レンズの物体側の面の曲率半径である。
【請求項２】
前記第４レンズの像側の面は非球面であり、以下の条件式を満足することを特徴とする請求項１に記載の撮像光学系。
-0.20＜Δda/f＜-0.01                                   …(7)
但し、Δdaは、前記第４レンズの像側の面において、光軸から（f×0.45）の高さの点と前記第４レンズの像側の面が光軸に交わる点の光軸方向への距離である。ここで、光軸から（f×0.45）の高さの点が像側にある方向を正とした光軸方向の距離とする。
【請求項３】
以下の条件式を満足することを特徴とする請求項１または請求項２に記載の撮像光学系。
0.3＜f1/f＜1                                           …(1)
但し、f1は前記第１レンズの焦点距離である。
【請求項４】
以下の条件式を満足することを特徴とする請求項１から請求項３のいずれかに記載の撮像光学系。
-0.4＜(r7-r8)/(r7+r8)＜0.4 …(5)
但し、r7、r8は、それぞれ前記第３レンズの像側と前記第４レンズの物体側の曲率半径である。
【請求項５】
以下の条件式を満足することを特徴とする請求項１から請求項４のいずれかに記載の撮像光学系。
0.1＜d5/f＜0.3 …(8)
但し、d5は前記第２レンズと前記第３レンズの光軸上の空気間隔である。
【発明の詳細な説明】
【技術分野】
【０００１】
本発明は、撮影用光学系及びそれを用いた撮像装置に関するものである。
【背景技術】
【０００２】
近年、携帯電話や携帯端末機、あるいはノートパソコン等の薄型化に伴い、光学系の光軸方向の長さを極限まで薄型化したカメラモジュールが求められている。この要求に応えるために、非球面レンズ２〜３枚程度で構成された単焦点の光学系が数多く提案されている。
また、近年、撮像そしの技術的進歩（小型でありながら高画素）と市場のニーズの高まりから  高精細でありながら携帯電話や携帯端末機に搭載可能なカメラモジュールがもとめられている。結像性能を高めながら、光学系全長の短縮を図った光学系として、レンズ枚数を３枚としたもの（特許文献１）。更にレンズ枚数を４枚としたものが提案されている。（特許文献２、特許文献３）。
【０００３】
【特許文献１】特開2004-4566号公報
【特許文献２】特開2006-293324号公報
【特許文献３】特開2007-17984号公報
【発明の開示】
【発明が解決しようとする課題】
【０００４】
しかしながら、特許文献１の光学系は画角や性能が十分でない。また、特許文献２の光学系では明るさ（Ｆｎｏ）が不十分で回折による結像性能の劣化が生じる。そのため、小型で高精細な画質を得ることが難しかった。特許文献３の光学系は十分なＦnoの確保が保証されていない。
【０００５】
本発明は、上記従来の課題に鑑みてなされたものであり、結像性能が良好で且つ小型な撮像光学系を提供することを目的とする。
【課題を解決するための手段】
【０００６】
上記目的を達成するため、本発明による撮像光学系は、物体側より順に、開口絞り、第１レンズ、第２レンズ、第３レンズ、第４レンズからなり、前記第１レンズは両凸レンズ、前記第２レンズは像側に凹面を持つ負レンズ、前記第３レンズは像側に凸面を有する正レンズ、前記第４レンズは物体側に凹面を有する負レンズであり、以下の条件式を満足することを特徴としている。
-0.9＜(r2+r3)/(r2-r3)＜-0.08                           …(A)
0.01＜1/ν2-1/ν1＜0.03                                …(2)
-2＜f/r6＜0.01                                         …(4)
0.08＜d7/f＜0.4                                        …(9)
0≦f/r9＜1                                             …(6)
-0.05＜f/r4＜2 …(3)"
但し、fは全系の焦点距離、ν1、ν2はそれぞれ前記第１レンズ、前記第２レンズのアッベ数、ｒ2、ｒ3はそれぞれ前記第１レンズの物体側と像側の曲率半径、r6は前記第３レンズの物体側の曲率半径、r9は前記第４レンズの像側の曲率半径、d7は前記第３レンズと前記第４レンズの光軸上の空気間隔、r4は前記第２レンズの物体側の面の曲率半径である。
【０００７】
また、本発明の撮像光学系は、前記第４レンズの像側の面は非球面であり、以下の条件式を満足することを特徴としている。
-0.20＜Δｄａ／f ＜-0.01                           …(7)
但し、Δｄａは、前記第４レンズの像側の面において、光軸から（f×0.45）の高さの
点と前記第４レンズの像側の面が光軸に交わる点の光軸方向への距離である。ここで、光軸から（f×0.45）の高さの点が像側にある方向を正とした光軸方向の距離とする。
【０００８】
また、本発明の撮像光学系は、以下の条件式を満足することを特徴としている。
0.3＜ｆ1／ｆ＜1                                    …(1)
但し、ｆ1は前記第１レンズの焦点距離である。
【００１０】
また、本発明の撮像光学系は、以下の条件式を満足することを特徴としている。
-0.4＜（ｒ7−ｒ8）／（ｒ7+ｒ8）＜0.4               …(5)
但し、ｒ7、ｒ8は、それぞれ前記第３レンズの像側と前記第４レンズの物体側の曲率半径である。
【００１１】
また、本発明の撮像光学系は、以下の条件式を満足することを特徴としている。
0.1＜ｄ5／ｆ＜0.3                                  …(8)
但し、ｄ5は前記第２レンズと前記第３レンズの光軸上の空気間隔である。
【発明の効果】
【００１２】
本発明によれば、結像性能が良好で且つ小型な撮像光学系を実現することができる。
【発明を実施するための最良の形態】
【００１３】
以下、実施形態について説明する。本実施形態の撮像光学系は、物体側より順に、開口絞り、第１レンズ、第２レンズ、第３レンズ、第４レンズからなる。ここで、第１レンズは両凸レンズである。また、第２レンズは像側に強い凹面を持つ負レンズである。また、第３レンズは像側に強い凸面を有する正レンズである。また、第４レンズは物体側に強い凹面を有する負レンズである。そして、このようなレンズ構成において、以下の条件式を満足する。
-0.9＜（ｒ2+ｒ3）／（ｒ2-ｒ3）＜-0.08              …(A)
0.01＜1/ν2-1/ν1＜0.03                            …(2)
-2＜ｆ/ｒ6＜0.01                                   …(4)
0.08＜ｄ7／ｆ＜0.4                                 …(9)
0≦ｆ／ｒ9＜１                                     …(6)
但し、ｆは全系の焦点距離、ν1、ν2はそれぞれ第１レンズ、前記第２レンズのアッベ数、ｒ2、ｒ3はそれぞれ前記第１レンズの物体側と像側の曲率半径、ｒ6は前記第３レンズの物体側の曲率半径、ｒ9は前記第４レンズの像側の曲率半径、ｄ7は前記第３レンズと前記第４レンズの光軸上の空気間隔である。
【００１４】
まず、レンズ構成について説明する。本実施形態では、物体側より順に、開口絞り、第１レンズＬ1(正レンズ)、第２レンズＬ2（負レンズ）、第３レンズＬ3（正レンズ）、第４レンズＬ4(負レンズ)と構成している。このように構成することで、入射光束が第１レンズＬ1から第４レンズＬ4に向かうに従って、軸上光束と軸外光束が分離していく。
【００１５】
本実施形態では、第１レンズＬ1で、主に光学系全体のパワーを担わせている。この第１レンズＬ1では、特に軸上収差の補正を行う。また、第２レンズＬ2を像側に強い凹面を持つ負レンズとすることで、特に軸上の色収差を補正することができる。また、第３レンズＬ3は、像側に強い凸面を有する正レンズとしている。これにより、第２レンズＬ2の形状と第３レンズＬ3の形状を略対象にしている。このようにすることで、コマ収差の補正を行いやすくしている。また、第４レンズＬ4に像側に強い凹面を配置することで、歪曲収差や像面湾曲の補正を良好に行っている。
【００１６】
次に、条件式について説明する。条件式(A)の下限を下回ると、第１レンズＬ1の物体側の面のパワーが弱くなりすぎる。この場合、軸上収差を良好に補正しながら、第１レンズＬ1のパワーを確保するのが難しくなる。条件式(A)の上限を上回るとｒ2のパワーが弱くなり軸上収差の補正が難しくなる。
【００１７】
条件式(2)の下限を下回ると、色収差を十分補正できなくなる。条件式(2)の上限を上回ると、色収差を良好に補正しながら第２レンズＬ2のパワーを確保することが困難になる。そのため、他の収差の補正上好ましくない。
【００１８】
条件式(4)の下限を下回ると、r6のパワーが強くなりすぎ軸上収差への影響が大きくなるので好ましくない。条件式(4)の上限を上回ると、特にコマ収差の補正上好ましくない。
【００１９】
条件式(6)の下限を下回ると、非点隔差等の補正が難しくなるので好ましくない。歪条件式(6)の上限を上回ると、曲収差や像面湾曲の収差補正への影響があるので好ましくない。
【００２０】
条件式(9)の下限を下回ると、第２レンズＬ2と第３レンズＬ3での軸外光束の分離の差が小さくなる。この場合、コマ収差や高次の像面湾曲や歪曲収差の補正が困難になるので好ましくない。条件式(9)の上限を上回ると、第３レンズL3へ入射する軸外光束の広がりを確保するため、第１レンズＬ1のパワーを小さくしなければならなくなる。この場合、全長が長くなるので好ましくない。
【００２１】
なお、条件式(A)に代えて、下記の条件式(A)’を満足することが好ましい。
-0.7＜（ｒ2+ｒ3）／（ｒ2-ｒ3）＜-0.1               …(A)’
また、条件式(2)に代えて、下記の条件式(2)’を満足することが好ましい。
0.012＜1/ν2-1/ν1＜0.025                          …(2)’
また、条件式(4)に代えて、下記の条件式(4)’を満足することが好ましい。
1＜ｆ/ｒ6＜0                                       …(4)’
また、条件式(9)に代えて、下記の条件式(9)’を満足することが好ましい。
0.1＜ｄ7／ｆ＜0.37                                 …(9)’
また、条件式(6)に代えて、下記の条件式(6)’を満足することが好ましい。
0.2＜ｆ／ｒ9＜0.8                                  …(6)’
【００２２】
また、本実施形態の撮像光学系は、第４レンズの像側の面は非球面であり、以下の条件式を満足する。
-0.20＜Δｄａ／f ＜-0.01                           …(7)
但し、Δｄａは、前記第４レンズの像側の面において、光軸から（f×0.45）の高さの
点と第４レンズの像側の面が光軸に交わる点の光軸方向への距離である。ここで、光軸から（f×0.45）の高さの点が像側にある方向を正とした光軸方向の距離とする。
【００２３】
条件式(7)の下限を下回ると、特に高い像高に対応する歪曲収差や像面湾曲の収差補正上好ましくない。条件式(7)の上限を上回ると、特に高い像高に対応する非点隔差の補正が十分できなくなるので好ましくない。
【００２４】
また、条件式(7)に代えて、下記の条件式(7)’を満足することが好ましい。
-0.13＜Δｄａ／f ＜-0.02                          …(7)’
【００２５】
また、本発明の撮像光学系は、以下の条件式を満足することを特徴としている。
0.3＜ｆ1／ｆ＜1                                   …(1)
但し、ｆ1は前記第１レンズの焦点距離である。
【００２６】
条件式(1)は、条件式(A)と密接な関係がある。条件式(1)の下限を下回ると、第１レンズＬ1のパワーが強くなりすぎる。この場合、軸外収差を補正する空間の確保が困難になる。軸外の諸収差を良好に補正するには、レンズ作用面が適度な間隔をもって配置されることが望ましい。しかしながら、条件式（1）の下限を下回ると、その空間の確保が難しくなる。条件式(1)の上限を上回ると、第２レンズＬ2のパワーが弱くなる。この場合、テレフォト効果が薄まるので、結像性能を良好にしつつ全長が短くするのが困難になる。
【００２７】
なお、条件式(1)に代えて、下記の条件式(1)’を満足することが好ましい。
0.4＜ｆ1／ｆ＜0.8                                 …(1)’
【００２８】
また、本発明の撮像光学系は、以下の条件式を満足することを特徴としている。
-0.1＜ｆ/ｒ4＜2                                   …(3)
但し、ｒ4は前記第２レンズの物体側の面の曲率半径である。
【００２９】
条件式(3)の下限を下回ると、特に高次の球面収差の補正が困難になるので好ましくない。条件式(3)の上限を上回ると、第２レンズＬ2のパワーを確保するのが困難になるので、軸上色収差等の補正等好ましくない。
【００３０】
なお、条件式(3)に代えて、下記の条件式(3)’を満足することが好ましい。
-0.05＜ｆ/ｒ4＜1                                  …(3)’
【００３１】
また、本発明の撮像光学系は、以下の条件式を満足することを特徴としている。
-0.4＜（ｒ7−ｒ8）／（ｒ7+ｒ8）＜0.4              …(5)
但し、ｒ7、ｒ8は、それぞれ前記第３レンズの像側と前記第４レンズの物体側の曲率半径である。
【００３２】
上記のレンズ構成では、第３レンズＬ3と第４レンズＬ4の間に、空気レンズが存在することになる。条件式(5)の下限を下回ると、この空気レンズのパワーが強くなるので、全体のパワー配置が小型化に適さなくなる。条件式(5)の上限を上回ると、この空気レンズのパワーが弱くなるので、像面湾曲や歪曲収差の補正上好ましくない。
【００３３】
なお、条件式(5)に代えて、下記の条件式(5)’を満足することが好ましい。
-0.3＜（ｒ7−ｒ8）／（ｒ7+ｒ8）＜0.05             …(5)’
【００３４】
また、本発明の撮像光学系は、以下の条件式を満足することを特徴としている。
0.1＜ｄ5／ｆ＜0.3                                 …(8)
但し、ｄ5は前記第２レンズと前記第３レンズの光軸上の空気間隔である。
【００３５】
条件式(8)の下限を下回ると、第２レンズＬ2と第３レンズＬ3での軸外光束の分離の差が小さくなる。この場合、コマ収差や高次の像面湾曲や歪曲収差の補正が困難になるので好ましくない。条件式(8)の上限を上回ると、第３レンズＬ3へ入射する軸外光束の広がりを確保するため、第１レンズＬ1のパワーを小さくしなければならなくなる。この場合、全長が長くなるので好ましくない。
【００３６】
なお、条件式(8)に代えて、下記の条件式(8)’を満足することが好ましい。
-0.12＜ｄ5／ｆ＜0.28                              …(8)’
【００３７】
実施例１にかかる撮像光学系について説明する。図１は本発明の実施例１にかかる撮像光学系の無限遠物点合焦時の光学構成を示す光軸に沿う断面図である。なお、レンズ断面図に記載されているｒ１，ｒ２、…における数字、及びｄ１，ｄ２…における数字は、後述する数値データにおける面番号の欄の数字に対応している。
【００３８】
図２は実施例１にかかる撮像光学系の無限遠物点合焦時における球面収差（ＳＡ）、非点収差（ＡＳ）、歪曲収差（ＤＴ）、倍率色収差（ＣＣ）、縦のコマ収差（ＤＺＹ）を示す図である。また、ＦＩＹは像高を示している。また、球面収差、非点収差及び縦のコマ収差における横軸の数値は±０．１０、歪曲収差における横軸の数値は±５．０、倍率色収差における横軸の数値は±０．０１、縦のコマ収差における縦軸の数値は±１．００である。また、縦のコマ収差における像高は２．３４である。なお、収差図における記号及び数値は、後述の実施例においても共通である。
【００３９】
実施例１の撮像光学系は、図１に示すように、物体側より順に、開口絞りＳと、第１レンズＬ1と、第２レンズＬ2と、第３レンズＬ3と、第４レンズＬ4を有している。なお、以下全ての実施例において、レンズ断面図中、ＣＧはカバーガラス、Ｉは電子撮像素子の撮像面を示している。
【００４０】
第１レンズＬ1は、両凸レンズで構成されている。
【００４１】
第２レンズＬ2は、両凹レンズＬ２で構成されている。また、像側のレンズ面が強い凹面になっている。
【００４２】
第３レンズＬ3は、像側に凸面を向けた正メニスカスレンズで構成されている。また、像側のレンズ面が強い凸面になっている。
【００４３】
第４レンズＬ4は、両凹レンズで構成されている。また、物体側の面が強い凹面になっている。
【００４４】
また、非球面は、全てのレンズ面に用いられている。
【００４５】
実施例２にかかる撮像光学系について説明する。図３は本発明の実施例２にかかる撮像光学系の無限遠物点合焦時の光学構成を示す光軸に沿う断面図であり、（ａ）は広角端、（ｂ）は中間焦点距離状態、（ｃ）は望遠端での断面図である。
【００４６】
図４は実施例２にかかる撮像光学系の無限遠物点合焦時における球面収差（ＳＡ）、非点収差（ＡＳ）、歪曲収差（ＤＴ）、倍率色収差（ＣＣ）、縦のコマ収差（ＤＺＹ）を示す図である。
【００４７】
実施例２の撮像光学系は、図３に示すように、物体側より順に、開口絞りＳと、第１レンズＬ1と、第２レンズＬ2と、第３レンズＬ3と、第４レンズＬ4を有している。
【００４８】
第１レンズＬ1は、両凸レンズで構成されている。
【００４９】
第２レンズＬ2は、像側に凹面を向けた負メニスカスレンズＬ２で構成されている。また、像側のレンズ面が強い凹面になっている。
【００５０】
第３レンズＬ3は、像側に凸面を向けた正メニスカスレンズで構成されている。また、像側のレンズ面が強い凸面になっている。
【００５１】
第４レンズＬ4は、両凹レンズで構成されている。また、物体側の面が強い凹面になっている。
【００５２】
また、非球面は、全てのレンズ面に用いられている。
【００５３】
実施例３にかかる撮像光学系について説明する。図５は本発明の実施例３にかかる撮像光学系の無限遠物点合焦時の光学構成を示す光軸に沿う断面図であり、（ａ）は広角端、（ｂ）は中間焦点距離状態、（ｃ）は望遠端での断面図である。
【００５４】
図６は実施例３にかかる撮像光学系の無限遠物点合焦時における球面収差（ＳＡ）、非点収差（ＡＳ）、歪曲収差（ＤＴ）、倍率色収差（ＣＣ）、縦のコマ収差（ＤＺＹ）を示す図である。
【００５５】
実施例３の撮像光学系は、図５に示すように、物体側より順に、開口絞りＳと、第１レンズＬ1と、第２レンズＬ2と、第３レンズＬ3と、第４レンズＬ4を有している。
【００５６】
第１レンズＬ1は、両凸レンズで構成されている。
【００５７】
第２レンズＬ2は、像側に凹面を向けた負メニスカスレンズＬ２で構成されている。また、像側のレンズ面が強い凹面になっている。
【００５８】
第３レンズＬ3は、像側に凸面を向けた正メニスカスレンズで構成されている。また、像側のレンズ面が強い凸面になっている。
【００５９】
第４レンズＬ4は、両凹レンズで構成されている。また、物体側の面が強い凹面になっている。
【００６０】
また、非球面は、全てのレンズ面に用いられている。
【００６１】
次に、上記各実施例の撮像光学系を構成する光学部材の数値データを掲げる。なお、各実施例の数値データにおいて、ｒの欄は各レンズ面の曲率半径、ｄの欄は各レンズの肉厚または空気間隔、ｎｄの欄は各レンズのｄ線での屈折率、νｄの欄は各レンズのアッべ数をそれぞれ表している。
【００６２】
また、非球面形状は、光軸方向をｚ、光軸に直交する方向をｙにとり、円錐係数をＫ、非球面係数をＡ４、Ａ６、Ａ８、Ａ１０としたとき、次の式で表される。
ｚ＝（ｙ2／ｒ）／［１＋｛１−（１＋Ｋ）（ｙ／ｒ）2｝1/2］
＋Ａ４ｙ4＋Ａ６ｙ6＋Ａ８ｙ8＋Ａ１０ｙ10
ここで、非球面データにおいて、Ｅは１０のべき乗を表している。また、非球面係数が記載されていないものは、その非球面係数における値はゼロである。なお、これら諸元値の記号は後述の実施例の数値データにおいても共通である。
【００６３】
数値実施例１
単位     ｍｍ
面データ
面番号                  ｒ         ｄ        ｎｄ        νｄ       有効径
1（絞り）               ∞        0.00                               0.82
2（非球面）            2.000      0.84      1.54650      56.45       0.86
3（非球面）           -2.857      0.10                               0.90
4（非球面）         -129.201      0.33      1.58980      30.49       0.85
5（非球面)             1.677      0.64                               0.90
6（非球面）           -5.410      0.40      1.58980      30.49       1.17
7（非球面）           -2.107      1.17                               1.33
8（非球面）           -2.853      0.50      1.54650      56.09       2.10
9（非球面）           10.740      0.31                               2.32
10                      ∞        0.3       1.51825      64.14       2.75
11                      ∞        0.31                               2.82
像面                    ∞
【００６４】
非球面係数
第２面
K=-5.0635,A4=5.4467E-02,A6=-6.2822E-02,A8=1.7947E-02,A10=-4.0910E-02
第３面
K=-14.0861,A4=-6.5340E-02,A6=-7.0092E-02,A8=6.9243E-02,A10=-3.9979E-02
第４面
K=-50.0000,A4=-7.9474E-02,A6=-5.1671E-03,A8=1.0109E-01,A10=-3.6665E-02
第５面
K=-6.1084,A4=4.5898E-02,A6=-2.0646E-02,A8=6.0015E-02,A10=-9.1864E-03
第６面
K=-40.4546,A4=4.8722E-04,A6=1.0179E-02,A8=5.6752E-03,A10=-7.2255E-03
第７面
K=-8.9706,A4=-4.1421E-02,A6=5.3637E-02,A8=6.0749E-03,A10=-7.4308E-03
第８面
K=-0.2960,A4=-1.1885E-02,A6=1.6296E-03,A8=1.7234E-03,A10=-2.2534E-04
第９面
K=-50.0000,A4=-4.3656E-02,A6=4.4616E-03,A8=-6.3435E-04,A10=8.6666E-06
【００６５】
各種データ
焦点距離          4.59
Ｆナンバー        2.8
画角             31.7°
像高              2.84
レンズ全長        4.80
ＢＦ              0.81
Δｄa            -0.50
【００６６】
単レンズデータ
レンズ        始面              焦点距離
1            2               2.294
2            4              -2.804
3            6               5.603
4            8              -4.071
【００６７】
数値実施例２
単位     ｍｍ
面データ
面番号                  ｒ         ｄ        ｎｄ        νｄ       有効径
1（絞り）               ∞        0.00                               0.77
2（非球面）            2.084      0.65      1.54650      56.09       0.89
3（非球面）           -4.216      0.10                               0.84
4（非球面）           25.4129     0.31      1.58856      30.21       0.85
5（非球面)             1.990      0.85                               0.91
6（非球面）           -7.311      0.51      1.54650      56.09       1.24
7（非球面）           -1.931      1.25                               1.39
8（非球面）           -2.995      0.40      1.54650      56.09       2.23
9（非球面）            7.051      0.24                               2.49
10                      ∞        0.30      1.51825      64.14       2.37
11                      ∞        0.30                               2.44
像面                    ∞
【００６８】
非球面係数
第２面
K=-0.8763,A4=-8.0659E-03,A6=-3.7645E-03
第３面
K=-4.9993,A4=4.1947E-02,A6=-5.0000E-03,A8=-1.0000E-03
第４面
K=-15.0000,A4=5.9560E-03,A6=5.5638E-02,A8=-3.6884E-03,A10=-5.6333E-03
第５面
K=-0.0684,A4=-5.9313E-02,A6=4.7767E-02,A8=-3.0000E-03,A10=-1.0000E-04
第６面
K=19.9994,A4=-2.3663E-03,A6=-9.8301E-04,A8=-1.0000E-03
第７面
K=-2.3955,A4=-9.3897E-03,A6=7.0000E-03,A8=2.0000E-03,A10=7.9570E-04
第８面
K=-0.5483,A4=-1.7413E-02,A6=7.9992E-03,A8=-4.5490E-04,A10=-6.9093E-06
第９面
K=-14.1264,A4=-14.1264,A6=1.2351E-03,A8=-1.7749E-04,A10=2.4926E-05
【００６９】
各種データ
焦点距離          4.30
Ｆナンバー        2.8
画角             33.4°
像高              2.84
レンズ全長        4.80
ＢＦ              0.74
Δｄa            -0.15
【００７０】
単レンズデータ
レンズ        始面              焦点距離
1            2               2.648
2            4              -3.685
3            6               4.649
4            8              -3.793
【００７１】
数値実施例３
単位     ｍｍ
面データ
面番号                  ｒ         ｄ        ｎｄ        νｄ      有効径
1（絞り）               ∞        0.00                              0.75
2（非球面）            2.147      0.56      1.53296      55.69      0.81
3（非球面）           -7.227      0.10                              0.85
4（非球面）            4.974      0.35      1.64116      23.90      0.88
5（非球面)             1.996      1.01                              0.90
6（非球面）         -246.014      0.77      1.51127      56.20      1.32
7（非球面）           -1.856      0.90                              1.46
8（非球面）           -1.751      0.40      1.53296      55.69      1.75
9（非球面）           10.388      0.22                              2.16
10                      ∞        0.30      1.51825      64.14      2.37
11                      ∞        0.30                              2.44
像面                    ∞ 
【００７２】
非球面係数
第２面
K=-0.9458,A4=-9.0944E-03,A6=8.2881E-04
第３面
K=-5.0000,A4=4.2071E-02,A6=-1.0000E-02,A8=-1.0000E-03
第４面
K=10.0000,A4=3.0670E-02,A6=5.0000E-03,A8=1.0000E-03,A10=-5.2928E-04
第５面
K=1.1295,A4=-2.6230E-02,A6=9.1012E-03,A8=-1.5322E-03,A10=2.2963E-04
第６面
K=20.0000,A4=-2.0918E-02,A6=5.1352E-03,A8=-1.0000E-03,A10=-5.0000E-04
第７面
K=-1.9160,A4=-1.0000E-02,A6=4.1000E-03,A8=2.0000E-03,A10=1.0000E-04
第８面
K=-1.7459,A4=-2.3432E-02,A6=9.3426E-03,A8=-6.2404E-04,A10=9.9164E-06
第９面
K=-5.0000,A4=-3.0000E-02,A6=3.0573E-04,A8=3.5141E-04,A10=-5.0000E-05
【００７３】
各種データ
焦点距離          4.20
Ｆナンバー        2.8
画角             34.1°
像高              2.84
レンズ全長        4.80
ＢＦ              0.72
Δｄa            -0.17
【００７４】
単レンズデータ
レンズ        始面              焦点距離
1            2               3.171
2            4              -5.452
3            6               3.643
4            8              -2.779
【００７５】
次に、各実施例における条件式の値を掲げる。
実施例１      実施例２      実施例３
(A) (r2+r3)/(r2-r3)         -0.176        -0.338        -0.542
(1) f1/f                     0.499         0.615         0.755
(2) 1/ν2-1/ν1              0.0150        0.0153        0.0239 
(3) f/r4                    -0.0356        0.169         0.845
(4) f/r6                    -0.849        -0.589        -0.017
(5) (r7-r8)/(r7+r8)         -0.150        -0.216         0.0278 
(6) ｆ/r9                    0.428         0.610         0.404
(7) Δda/f                  -0.109        -0.035        -0.041
(8) d5/f                     0.14          0.20          0.24 
(9) d7/f                     0.25          0.29          0.21
【００７６】
上記各実施例では、全てのレンズ素子を樹脂で構成し、軽量化と低コスト化を達成している。又、全てのレンズ面を非球面で構成し、結像性能の向上と偏心等による像の劣化を防いでいる。なお、シャッターを開口絞りの前に配置しても良いし、フォーカスの際、シャッター部位は固定としても良い。
【産業上の利用可能性】
【００７７】
本発明は、カメラ、携帯電話、小型情報端末等の電子撮像装置の撮像光学系に有用である。
【図面の簡単な説明】
【００７８】
【図１】本発明の実施例１にかかる撮像光学系の光学構成を示す光軸に沿う断面図である。
【図２】実施例１にかかる撮像光学系の無限遠物点合焦時における球面収差、非点収差、歪曲収差、倍率色収差、縦のコマ収差を示す図である。
【図３】本発明の実施例２にかかる撮像光学系の光学構成を示す光軸に沿う断面図である。
【図４】実施例２にかかる撮像光学系の無限遠物点合焦時における球面収差、非点収差、歪曲収差、倍率色収差、縦のコマ収差を示す図である。
【図５】本発明の実施例３にかかる撮像光学系の光学構成を示す光軸に沿う断面図である。
【図６】実施例３にかかる撮像光学系の無限遠物点合焦時における球面収差、非点収差、歪曲収差、倍率色収差、縦のコマ収差を示す図である。
【符号の説明】
【００７９】
ＣＧ          カバーガラス
Ｉ            電子撮像素子の撮像面
Ｌ１          第１レンズ
Ｌ２          第２レンズ
Ｌ３          第３レンズ
Ｌ４          第４レンズ
Ｓ            開口絞り
【図１】
0005226291.tif 000002
【図２】
0005226291.tif 000003
【図３】
0005226291.tif 000004
【図４】
0005226291.tif 000005
【図５】
0005226291.tif 000006
【図６】
0005226291.tif 000007